(57)【要約】【課題】  建築躯体の床排水管の位置が変わってもキャビネットの収納空間を広く確保することができる洗面化粧台を提供する。【解決手段】  キャビネットの内部に設置可能な排水管設備は、水槽に形成した排水口に接続される直管部と、直管部の下流側端部に接続されるＳ字形の排水トラップと、排水トラップの下流側端部に接続されるクランク状管部と、を備え、排水トラップは、上流側に配置されるＵ字管部と、下流側に配置される逆Ｕ字管部と、を接続して構成されてなり、クランク状管部は、排水トラップの下流側端部に接続されキャビネットの底板を貫通する第一鉛直管部と、キャビネットの下方に設置された建築躯体の床配管に接続される第二鉛直管部と、第一鉛直管部と第二鉛直管部とを水平方向に繋ぐ水平管部とを備え、直管部とＵ字管部との接続部、Ｕ字管部と逆Ｕ字管部との接続部、逆Ｕ字管部とクランク状管部との接続部、とを水平方向に回転自在に接続した。【選択図】  図１
2013236838.tif 000002
【特許請求の範囲】
【請求項１】
内部を収納空間としたキャビネットと、前記キャビネットの上部に設置された水槽と、前記水槽からの排水を前記キャビネットの内部を通して排出する排水管設備と、を備えた水槽付きキャビネットにおいて、
前記排水管設備は、
前記水槽に形成した排水口に接続される直管部と、
前記直管部の下流側端部に接続されるＳ字形の排水トラップと、
前記排水トラップの下流側端部に接続されるクランク状管部と、
を備え、
前記Ｓ字形の排水トラップは、上流側に配置されるＵ字管部と、下流側に配置される逆Ｕ字管部と、を接続して構成されてなり、
前記クランク状管部は、前記排水トラップの下流側端部に接続されるとともに前記キャビネットの底板を貫通する第一鉛直管部と、前記キャビネットの下方に設置されている建築躯体の床配管に接続される第二鉛直管部と、前記第一鉛直管部と第二鉛直管部とを水平方向に繋ぐ水平管部と、を備えてなり、
前記直管部と前記Ｕ字管部との接続部、前記Ｕ字管部と前記逆Ｕ字管部との接続部、前記逆Ｕ字管部とクランク状管部との接続部、とを水平方向に回転自在に接続したことを特徴とする水槽付きキャビネット。
【請求項２】
前記クランク状管部は、前記第一鉛直管部と、前記水平管部と、前記第二鉛直管部と、を途中に接続部を設けずに一体物として形成されていることを特徴とする請求項１記載の水槽付きキャビネット。
【請求項３】
請求項１または２のいずれか一方に記載の水槽付きキャビネットに用いることが可能であって、前記直管部と、前記Ｓ字形の排水トラップと、前記クランク状管部と、を接続したことを特徴とする水槽付きキャビネットに設置可能な排水管設備。
【発明の詳細な説明】
【技術分野】
【０００１】
本発明は、キャビネットの上方に水槽を備え、水槽からの排水管がキャビネットの内部に設置される水槽付きキャビネット、および、その水槽付きキャビネットに設置可能な排水管設備に関するものである。
【背景技術】
【０００２】
洗面化粧台のキャビネットの内部で、排水トラップを背板に沿う位置に設置することによって、キャビネット内の空間を収納空間として無駄なく使用することができる洗面化粧台が、特許文献１，２のように提案されている。しかし、特許文献１，２のように、排水トラップをキャビネットの背板に沿う位置に設置すると、洗面ボウルの排水口から排水トラップのメンテナンスを行いにくいという問題があった。
【０００３】
これに対して、本出願人は、特許文献３に示すように、洗面化粧台の排水トラップにボトルトラップを用いることによって、洗面ボウル下のキャビネットの収納空間を大きく確保するした洗面化粧台が提案した。ところが、ボトルトラップは、使い続けるうちに流路に異物が付着して排水管の流路径が狭くなり通水性が低下することがあり、改善が要望されている。
【０００４】
そこで、本出願人は、ボトルトラップに代えて流路径の変化が小さいＳ字形の排水トラップを用いて、キャビネット内の収納空間を大きく確保することを検討している。Ｓ字形の排水トラップを有する洗面化粧台として、本出願人は、特許文献４に示すように、キャビネットの内部にＳ字形の排水トラップを設置し、キャビネットの底板の下方で連結排水管部を屈曲させて、建築躯体の床排水管に接続される排水管部に接続した構造を提案している。
【０００５】
しかし、建築躯体の床排水管の位置は洗面化粧台が設置される場所によって変わるものである。そのため、洗面化粧台の排水管は建築躯体の排水位置に合わせてレイアウトされており、排水管はキャビネットの中央部を上下に貫くように設置されることが多く、それがキャビネット内の収納空間を狭める要因であった。
【先行技術文献】
【特許文献】
【０００６】
【特許文献１】特開平１０−３３１２２７号公報
【特許文献２】特開２００４−２５７１４４号公報
【特許文献３】特開２０１０−９５８８２号公報
【特許文献４】特開２００２−１１５２９５号公報
【発明の概要】
【発明が解決しようとする課題】
【０００７】
そこで、本発明は、上述した問題点を解消して、建築躯体の床排水管の位置が変わってもキャビネットの収納空間を広く確保することができる洗面化粧台を提供することを目的とする。
【課題を解決するための手段】
【０００８】
上記した課題を解決するために、本発明の請求項１の発明は、内部を収納空間としたキャビネットと、前記キャビネットの上部に設置された水槽と、前記水槽からの排水を前記キャビネットの内部を通して排出する排水管設備と、を備えた水槽付きキャビネットにおいて、前記排水管設備は、前記水槽に形成した排水口に接続される直管部と、前記直管部の下流側端部に接続されるＳ字形の排水トラップと、前記排水トラップの下流側端部に接続されるクランク状管部と、を備え、前記Ｓ字形の排水トラップは、上流側に配置されるＵ字管部と、下流側に配置される逆Ｕ字管部と、を接続して構成されてなり、前記クランク状管部は、前記排水トラップの下流側端部に接続されるとともに前記キャビネットの底板を貫通する第一鉛直管部と、前記キャビネットの下方に設置されている建築躯体の床配管に接続される第二鉛直管部と、前記第一鉛直管部と第二鉛直管部とを水平方向に繋ぐ水平管部と、を備えてなり、前記直管部と前記Ｕ字管部との接続部、前記Ｕ字管部と前記逆Ｕ字管部との接続部、前記逆Ｕ字管部とクランク状管部との接続部、とを水平方向に回転自在に接続したものである。
【０００９】
これによれば、Ｓ字形の排水トラップを用いているから、排水トラップに異物が付着しにくい。また、Ｓ字形の排水トラップを洗面ボウルの排水口の直下に直管部を介して接続しているので、排水トラップのメンテナンスを排水口を通じて容易に行うことが可能である。
また、排水トラップを含めた排水管設備は、適度な長さを有したＵ字管部、逆Ｕ字管部、クランク状管部が、第一接続部〜第三接続部でそれぞれ水平方向に回転自在であるから、キャビネットの収納空間を鉛直方向に走る排水管部分をキャビネットの背板に近接するように沿わせて設置することができる。さらに、クランク状管部の水平管部および第二鉛直管部はキャビネットの底板より下方の領域に配設されている。よって、キャビネット内の収納空間を広く確保することが可能となる。
【００１０】
なお、本発明においては、「鉛直」、「水平」は、ともに多少の傾きを伴うものも含むものである。
【００１１】
また、請求項２の発明は、請求項１において、前記クランク状管部は、前記第一鉛直管部と、前記水平管部と、前記第二鉛直管部と、を途中に接続部を設けずに一体物として形成されているものである。
【００１２】
これによれば、キャビネットの底板より下方の領域には、排水管設備自体の接続部を設けていないから、目立ちにくいキャビネットの底板より下方での漏水を防止することができる。
【００１３】
また、請求項３の発明は、請求項１または２のいずれか一方に記載の水槽付きキャビネットに用いることが可能であって、前記直管部と、前記Ｓ字形の排水トラップと、前記クランク状管部と、を接続した、水槽付きキャビネットに設置可能な排水管設備である。
【００１４】
これによれば、この排水管設備を水槽付きキャビネットに使用することで、キャビネット内の収納空間を大きく確保することができる。
【発明の効果】
【００１５】
本発明によれば、建築躯体の床排水管の位置が変わってもキャビネットの収納空間を広く確保することができる洗面化粧台を提供することができる。
【図面の簡単な説明】
【００１６】
【図１】本発明の洗面化粧台の排水管設備の設置状況を示す洗面化粧台の内部を示す断面図である。
【図２】図１の洗面化粧台の内部を正面から覗いた断面図である。
【図３】洗面化粧台に用いられる排水管設備を示す分解斜視図である。
【図４】洗面化粧台のキャビネットの内部の上方から、排水管設備の設置状態を示す模式図である。
【発明を実施するための形態】
【００１７】
以下、本発明の実施形態を図に基づいて説明する。なお、洗面化粧台について説明するが、本発明は、洗面化粧台以外にも、キャビネットの上方にシンクを備えたシステムキッチン、キャビネットの上方に手洗いボウルを備えた手洗い台など、広く水槽付きキャビネットに適用可能である。
【００１８】
図１は本発明の洗面化粧台の排水管設備の設置状況を示す洗面化粧台の内部を示す断面図である。図２は図１の洗面化粧台の内部を正面から覗いた断面図である。図３は、洗面化粧台に用いられる排水管設備を示す分解斜視図である。
【００１９】
図１に示すように、洗面化粧台１００は、キャビネット１１０とキャビネット１１０の上部に取り付けられる洗面ボウル（水槽）１２０と、洗面ボウル１２０の上方に設置されるミラーキャビネット１３０と、を備えている。
【００２０】
洗面ボウル１２０は、水栓１４０が設置されている。また、洗面ボウル１２０は、その後方寄りに排水口１２５が形成されている。
【００２１】
キャビネット１１０は、右側板１１１、左側板１１２、背板１１３、底板１１４などを組み立てて構成されており、内部が収納空間１１５とされている。キャビネット１１０は、前面に扉１１６を設け、扉１１６を開いて収納空間１１５に物を出し入れすることができる。あるいは、扉１１６に代えて、収納空間１１５に引出しを設けることができる。
【００２２】
キャビネット１１０の内部には、排水管設備２００が設置されている。排水管設備２００は、その上流側端部が洗面ボウル１２０の排水口１２５に接続され、その下流側端部がキャビネット１１０の底板１１４を貫通して底板１１４より下方の領域において建築躯体の床配管３００に接続されており、洗面ボウル１２０からの排水を建築躯体の床排水管３００に排出することができる。
【００２３】
排水管設備２００は、上流側が洗面ボウル１２０の排水口１２５に接続される直管部２１０と、上流側が直管部２１０に接続されるＳ字形の排水トラップ２２０と、上流側が排水トラップ２２０に接続されて下流側が建築躯体の床排水管３００に接続されるクランク状管部２３０と、を備えている。
【００２４】
直管部２１０は、洗面ボウル１２０からのオーバーフロー流路を接続することが可能である。また、必要に応じて、直管部２１０を２本以上の管材を継ぎ足して構成することも可能である。
【００２５】
Ｓ字形の排水トラップ２２０は、Ｕ字状に屈曲するＵ字管部２２１と、Ｕ字管部２２１の下流側に接続されて逆Ｕ字状に屈曲する逆Ｕ字管部２２２とで構成されている。なお、Ｕ字管部２２１および逆Ｕ字管部２２２は、上流側の鉛直部２２１ａ，２２２ａと下流側の鉛直部２２１ｂ，２２２ｂの長さが同じであっても、上流側および下流側の一方の鉛直部が他方の鉛直部より長くなっていてもよいものである。
【００２６】
クランク状管部２３０は、鉛直方向に伸びる第一鉛直管部２３１と、第一鉛直管部２３１の下部を直角に曲げた水平管部２３２と、水平管部２３２の先端を鉛直下方に曲げた第二鉛直管部２３３と、を間に接続部を設けずに一体に形成している。なお、水平管部２３２は、下流側に向けて排水勾配を設けておくのが好ましい。
【００２７】
そして、この排水管設備２００は、直管部２１０とＵ字管部２２１とを接続する第一接続部２４０、Ｕ字管部２２１と逆Ｕ字管部２２２とを接続する第二接続部２５０、逆Ｕ字管部２２２とクランク状管部２３０とを接続する第三接続部２６０、とが、いずれも袋ナット等の締付具によって水平方向に回転自在に接続されている。そのため、第一接続部〜第三接続部２４０，２５０，２６０を適宜水平方向に回転させて、排水管設備２００を適宜形を変えて設置することができる。
【００２８】
Ｓ字状の排水トラップ２２０は、Ｕ字管部２２１と逆Ｕ字管部２２２とを１８０°反対方向に向けて接続した状態におけるＵ字管部２２１の上流側の鉛直部２２１ａと逆Ｕ字管部２２２の下流側の鉛直部２２２ｂとの水平方向の距離は、洗面ボウル１２０の排水口１２５とキャビネット１１０の背板１１３の収納空間側の面との距離よりも長く形成されている。これにより、第一接続部〜第三接続部２４０，２５０，２６０およびクランク状管部２３０と建築躯体の床排水管３００とを接続する第四接続部２７０を適宜水平方向に回転させることにより、逆Ｕ字管部２２２の下流側の鉛直部２２２ｂおよびクランク状管部２３０の第一鉛直管部２３１を、キャビネット１１０の背板１１３に近接するように沿わせて設置することができる。なお、第三接続部２６０の接続施工を行いやすくするために、逆Ｕ字管部２２２の下流側の鉛直部２２２ｂおよびクランク状管部２３０の第一鉛直管部２３１と、キャビネット１１０の背板１１３とは密着させずに少しの隙間を設けておくのが好ましい。
【００２９】
また、クランク状管部２３０は、第一鉛直管部２３１と第二鉛直管部２３３との水平方向の距離が、キャビネット１１０の背板１１３の収納空間側の面と建築躯体の床排水管３００との水平方向の距離よりも長く形成されている。建築躯体の床排水管３００の位置を最大限遠い位置に想定してクランク状管部２３０の第一鉛直管部２３１と第二鉛直管部２３３との距離を設定しておけば、建築躯体の床排水管３００の位置が異なる場合でも、第一接続部〜第四接続部２４０，２５０，２６０，２７０を適宜水平方向に回転させることにより、逆Ｕ字管部２２２の下流側の鉛直部２２２ｂおよびクランク状管部２３０の第一鉛直管部２３１を、キャビネット１１０の背板１１３に近接するように沿わせて設置することができる。
【００３０】
したがって、洗面化粧台１００の排水管として、この排水管設備２００を用いることにより、キャビネット１１０の収納空間１１５を最大限広く確保することができる。
【００３１】
さらに、クランク状管部２３０は、第一鉛直管部２３１よりも第二鉛直管部２３３の方が短く形成されている。よって、第一鉛直管部２３１と第二鉛直管部２３３との間に設けられた水平管部２３２および第二鉛直管部２３３をキャビネット１１０の内部の底板１１４より下方の領域に設置されることになる。このように、キャビネット１１０の底板１１４の上に水平管部２３２が露呈しないから、キャビネット１１０の収納空間１１５を狭めることがない。また、クランク状管部２３０は間に接続部が無いから、底板１１４より下方の領域における排水管の接続部はクランク状管部２３０を建築躯体の床配管３００に接続する部位だけになる。クランク状管部２３０と建築躯体の床配管３００とは、第二鉛直管部２３３の先端を建築躯体の床配管３００に鉛直方向に差し込んで、隙間を封止する構造なので、そこから漏水する恐れはほとんどない。そのため、漏水の発見が遅れてしまいがちな、キャビネット１１０の底板１１４より下方の領域での排水管設備２００からの漏水を防止することが可能となる。
【００３２】
次に、建築躯体の床排水管３００の位置が変わった場合における、キャビネット１１０の内部での排水管設備２００の設置形態について説明する。図４は、洗面化粧台のキャビネットの内部の上方から、排水管設備の設置状態を示す模式図である。
【００３３】
図４（ａ）〜（ｅ）に示すように、第一接続部〜第四接続部２４０，２５０，２６０，２７０を適宜水平方向に回転させることによって、建築躯体の床排水管３００がどのような位置であっても、逆Ｕ字管部２２２とクランク状管部２３０とを接続する第三接続部２６０をキャビネット１１０の背板１１３に近接させることができる。このようにして、逆Ｕ字管部２２２の下流側の鉛直部２２２ｂおよびクランク状管部２３０の第一鉛直管部２３１がともに、キャビネット１１０の背板１１３に近接するように沿わせて設置されるので、キャビネット１１０の収納空間１１５を広く確保することが可能となる。
【００３４】
以上説明したように、本実施形態における洗面化粧台１００（水槽付きキャビネット）は、Ｓ字形の排水トラップ２２０を用いているから、排水トラップに異物を付着しにくくすることが可能となる。
また、排水トラップ２２０を含めた排水管設備２００は、Ｕ字管部２２１、逆Ｕ字管部２２２、クランク状管部２３０が、それぞれ適度な長さを有しており、第一接続部〜第四接続部２４０，２５０，２６０，２７０でそれぞれ水平方向に回転自在であるから、キャビネット１１０の収納空間１１５を鉛直方向に走る排水管部分をキャビネット１１０の背板１１３に近接するように沿わせて設置することができ、収納空間１１５を広く確保することが可能となる。
さらに、キャビネット１１０の底板１１４の下方には、排水管設備自体の接続部を設けていないから、目立ちにくいキャビネット１１０の底板１１４より下方の領域での漏水を防止することができる。
【００３５】
本発明は、上記した実施形態に限らず、種々の変更が可能である。
本実施形態では、クランク状管部を、一体物として説明したが、複数の配管を漏水不能に接続してもよい。
また、逆Ｕ字管部とクランク状管部との第三接続部で、逆Ｕ字管部とクランク状管部の長さを調整可能にしてもよい。これによれば、洗面ボウルの高さを変えることが可能となる。
さらに、クランク状管部を第一鉛直管部の途中で切断可能であってもよい。これによれば、建築躯体の排水管が壁排水であった場合にも、床排水の場合と同じ排水管設備を用いることが可能となる。
【符号の説明】
【００３６】
１００  洗面化粧台（水槽付きキャビネット）
１１０  キャビネット
１１３  背板
１１４  底板
１１５  収納空間
１２０  洗面ボウル（水槽）
１２５  排水口
２００  排水管設備
２１０  直管部
２２０  排水トラップ
２２１  Ｕ字管部
２２２  逆Ｕ字管部
２３０  クランク状管部
２３１  第一鉛直管部
２３２  水平管部
２３３  第二鉛直管部
２４０  直管部とＵ字管部との接続部
２５０  Ｕ字管部と逆Ｕ字管部との接続部
２６０  逆Ｕ字管部とクランク状管部との接続部
３００  床配管
【図１】
2013236838.tif 000003
【図２】
2013236838.tif 000004
【図３】
2013236838.tif 000005
【図４】
2013236838.tif 000006